(57)【要約】【課題】所望する種類の紙片を指定された枚数だけ確実に販売することができる紙片販売装置の提供を目的とする。【解決手段】紙片販売装置１に内蔵された装填台１５上の各収容箱１４…から、取出し装置１６の取出しユニット１６ａに垂設した吸着子１６ｂで吸着保持した回数券Ａを取出す際に、収容箱１４の開口部１４ａに取り付けられた一対の分離板１４ｄ，１４ｄを外側へ押し広げながら、吸着子１６ｂで吸着保持した回数券Ａを収容箱１４から取出す。一対の分離板１４ｄ，１４ｄを収容箱１４に収容された下側の回数券Ａの対向する短辺側端部に係止するので、吸着子１６ｂで吸着保持された回数券Ａから、収容箱１４に収容された下側の回数券Ａが確実に分離される。これにより、購入指定された単一乗車区間の回数券Ａを収容箱１４から所望する枚数だけ取出すことができる。【選択図】図９
2009205574.tif 000002
【特許請求の範囲】
【請求項１】
複数枚の紙片が積層状態に重ね合せて収容される収容箱と、該収容箱に収容された紙片を単一枚だけ吸着保持して取出すための取出し手段とを装置本体に内蔵した紙片販売装置であって、
前記収容箱の上面側に開口された紙片の取出しが許容される開口部の対向縁部に、該収容箱に収容された紙片の対向する一対の辺部に対して係止される一対の分離板を設け、
前記一対の分離板を、前記収容箱に収容された紙片の対向する一対の辺部に対して係止される係止姿勢と、該紙片の対向する一対の辺部に対する係止が解除される解除姿勢とに可撓変形自在に設けたことを特徴とする
紙片販売装置。
【請求項２】
前記各分離板の上端部に、前記紙片の対向する一対の辺部に対して係止される係止片をそれぞれ形成するとともに、該各係止片を、前記収容箱に収容された紙片の対向する一対の辺部上面に対して係止される下向き角度に折り曲げたことを特徴とする
請求項１に記載の紙片販売装置。
【請求項３】
前記取出し手段によって収容箱から取出される紙片の一側辺部と対向する位置に、該取出し手段で保持された紙片の一側辺部に対して該紙片に重ね合わされた下側の紙片を分離するのに必要な接触抵抗を付与する接触抵抗付与部材を設けたことを特徴とする
請求項１又は２に記載の紙片販売装置。
【発明の詳細な説明】
【技術分野】
【０００１】
この発明は、例えば回数券、乗車券、搭乗券、入場券、鑑賞券、勝馬投票券等の紙片を購入指定された枚数分だけ販売する際に用いられる紙片販売装置に関する。
【背景技術】
【０００２】
従来、前記回数券を販売する装置としては、例えば装置前面に配列された操作ボタンを押圧操作して購入する回数券の種類を選択する。８個の収納体が外周面に配置された支持枠体を回転して、指定の回数券が収納された収納体を回数券取出し機構と対向する。収納体の最上部にある回数券を回数券取出し機構の吸引部で吸着保持した後、吸引部の上昇及び下降により回数券を収納体から取り出してシュートに移載し、シュートを経て発券口に給送するという特許文献１の回数券販売装置がある。
【特許文献１】特開昭５８−１６１０９４号公報
【特許文献２】実開平２−３２１８７号公報
【発明の開示】
【発明が解決しようとする課題】
【０００３】
しかし、前記未使用の回数券は表裏両面が滑らかであるため、上下に重ね合せて収納体に収容すると隙間なく密着することになる。したがって、吸引部で吸着保持した回数券を収納体から取り出す際に、上下に重ね合わされた回数券の接触部分に生じる静電気や接触抵抗により、吸引部で吸着保持した回数券の下面側に、収納体に収容された下側の回数券が重なり合ったまま一緒に取り出されてしまう。また、収納体の上面両側縁部に設けられた一対の係止片は、８個の収納体が外周面に配置された支持枠体を回転する際に、収納体から回数券が脱落するか、回数券が散逸するのを防止するものであり、上下に重なり合った回数券を分離するものではない。
【０００４】
他の方法としては、ケース内に多数収納されたカード状商品を吸着パッドで吸着して１枚ずつ取り出す際に、押えばねの押圧によりカード状商品を湾曲して、吸着パッドで吸着した上段のカード状商品と２段目のカード状商品とを分離するという特許文献２の券類自動販売機の商品取出装置がある。しかし、押えばねの押圧力は垂直方向に付与されているので、吸着パッドで吸着したカード状商品を上方へ引き上げる際に、押えばねの押圧力により吸着パッドからカード状商品が脱落しやすく、カード状商品をケースから１枚ずつ取出すことができない。
【０００５】
この発明は前記問題に鑑み、所望する種類の紙片を指定された枚数だけ確実に販売することができる紙片販売装置の提供を目的とする。
【課題を解決するための手段】
【０００６】
この発明は、複数枚の紙片が積層状態に重ね合せて収容される収容箱と、該収容箱に収容された紙片を単一枚だけ吸着保持して取出すための取出し手段とを装置本体に内蔵した紙片販売装置であって、前記収容箱の上面側に開口された紙片の取出しが許容される開口部の対向縁部に、該収容箱に収容された紙片の対向する一対の辺部に係止される一対の分離板を設け、前記一対の分離板を、前記収容箱に収容された紙片の対向する一対の辺部に対して係止される係止姿勢と、該紙片の対向する一対の辺部に対する係止が解除される解除姿勢とに可撓変形自在に設けた紙片販売装置であることを特徴とする。
【０００７】
この発明の態様として、前記各分離板の上端部に、前記紙片の対向する一対の辺部に対して係止される係止片をそれぞれ形成するとともに、該各係止片を、前記収容箱に収容された紙片の対向する一対の辺部上面に対して係止される下向き角度に折り曲げることにより、紙片の対向する一対の辺部から脱落した分離板の係止片は、収容箱に収容された紙片の対向する一対の辺部に係止されるので、取出し手段によって収容箱から取出される紙片から、収容箱に収容された紙片を分離することができる。
【０００８】
また、この発明の態様として、前記取出し手段によって収容箱から取出される紙片の一側辺部と対向する位置に、該取出し手段で保持された紙片の一側辺部に対して該紙片に重ね合わされた下側の紙片を分離するのに必要な接触抵抗を付与する接触抵抗付与部材を設けることにより、取出し手段で保持された紙片から、該紙片に重ね合わされた下側の紙片を確実に分離することができる。
【０００９】
前記紙片は、例えば回数券、乗車券、搭乗券、入場券、鑑賞券、勝馬投票券等の券や紙葉類で構成することができる。また、取出し手段は、例えば吸着子、アーム、チャック等の単一枚又は複数枚の紙片を保持することが可能なもので構成することができる。また、接触抵抗付与部材は、例えば柔軟性を有する複数本の毛が植え付けられたブラシ、或いは、ウレタンゴム、スポンジゴム等の弾性体で構成することができる。
【発明の効果】
【００１０】
この発明によれば、収容箱に収容された紙片を単一枚だけ取出し手段で吸着保持して取出す際に、一対の分離板を収容箱に収容された紙片の対向する一対の辺部に係止して、取出し手段によって取出される紙片を収容箱に収容された下側の紙片から分離するので、所望する種類の紙片を指定された枚数だけ確実に販売することができる。
【発明を実施するための最良の形態】
【００１１】
この発明は、所望する種類の紙片を指定された枚数だけ確実に販売することができるという目的を、取出し手段によって収容箱に収容された紙片を取出す際に、一対の分離板を収容箱に収容された紙片の対向する一対の辺部に係止することで達成した。
【実施例】
【００１２】
この発明の一実施例を以下図面に基づいて詳述する。
【００１３】
図面は、紙片の一例である所望する乗車区間の回数券を購入指定された枚数だけ販売する際に用いられる紙片販売装置を示し、図１に於いて、この紙片販売装置１は、正面から見て装置本体２の左側縁部に、該装置本体２の前面側開口部が閉塞される施錠機能付きの扉部３を左右開閉自在に枢着している。
【００１４】
正面から見て扉部３の中央前面には、予め指定された単一乗車区間の回数券Ａを購入するための単一券選択スイッチ４を設けている。扉部３の左側前面には、単一乗車区間の回数券Ａを複数組み合わせて購入するための複数券選択スイッチ５を設けている。扉部３の右側前面には、回数券Ａの購入枚数を選択するための枚数選択スイッチ６を設けている。
【００１５】
単一券選択スイッチ４は、１２個の選択スイッチ４ａ〜４ｌで構成され、選択スイッチ４ａ〜４ｌは、予め指定された単一乗車区間の回数券Ａを発券するためのスイッチである。
【００１６】
複数券選択スイッチ５は、４個の選択スイッチ５ａ〜５ｄで構成され、選択スイッチ５ａは、選択スイッチ４ａ，４ｂと対応する単一乗車区間の回数券Ａを２枚組み合わせて発券するためのスイッチである。選択スイッチ５ｂは、選択スイッチ４ｄ，４ｅと対応する単一乗車区間の回数券Ａを２枚組み合わせて発券するためのスイッチである。選択スイッチ５ｃは、選択スイッチ４ａ，４ｂ，４ｃと対応する単一乗車区間の回数券Ａを３枚組み合わせて発券するためのスイッチである。選択スイッチ５ｄは、選択スイッチ４ｄ，４ｅ，４ｆと対応する単一乗車区間の回数券Ａを３枚組み合わせて発券するためのスイッチである。
【００１７】
枚数選択スイッチ６は、３個の選択スイッチ６ａ〜６ｃで構成され、単一券選択スイッチ４及び複数券選択スイッチ５の操作によって発券される回数券Ａの発券枚数を、２枚、３枚、４枚に指定するためのスイッチである。
【００１８】
扉部３の右側前面には、紙幣を投入するための紙幣投入口７と、硬貨を投入するための硬貨投入口８と、紙幣や硬貨を返却するための返却レバー９及び返却ボタン１０と、投入金額を表示するための投入金額表示部１１とを設けている。
【００１９】
扉部３の中央下部前面には、発券された回数券Ａを取出すための取出口１２と、投入した金銭やつり銭を返却するための返却口１３とを設けている。扉部３の中央上部前面には、例えば利用可能な曜日、乗車区間、販売時間等の販売に関する情報を表示するための販売情報表示部１４を設けている。
【００２０】
装置本体２の中央内部には、図２、図３、図４に示すように、発券される種類の回数券Ａと対応する１２個の収容箱１４を、水平に支持された装填台１５上に対して正面から見て並列に配置している。装填台１５の後方には、該装填台１５を後述する取出し装置１６の下方に待機させる前進位置と、取出し装置１６の下方から退避させる後退位置とに前後移動するための移動装置１７を配置している。
【００２１】
前進位置に移動された装填台１５の上方には、装填台１５上に装填された各収容箱１４…から回数券Ａを１枚取出すための取出し装置１６を配置している。取出し装置１６の上方には、後述する取出し装置１６の取出しユニット１６ａを各収容箱１４…に収容された回数券Ａが保持される下降位置と、取出しユニット１６ａで保持した回数券Ａが各収容箱１４…から取出される上昇位置とに上下移動するための昇降装置１８を配置している。
【００２２】
装置本体２の内部には、装置全体の駆動及び停止を制御するための制御装置２２を配置している（図３、図４参照）。制御装置２２に内蔵されたＣＰＵは、ＲＯＭに格納されたプログラムに沿って、単一券選択スイッチ４と、複数券選択スイッチ５と、枚数選択スイッチ６と、紙幣投入口７に接続された図示しない紙幣処理装置と、硬貨投入口８に接続された図示しない硬貨処理装置と、返却レバー９及び返却ボタン１０と、投入金額表示部１１と、後誦する移動装置１７と、昇降装置１８と、切換え装置１９と、負圧発生装置２０との駆動及び停止を制御する。
【００２３】
ＲＡＭは、単一券選択スイッチ４と、複数券選択スイッチ５と、枚数選択スイッチ６とにより所望する乗車区間の回数券Ａを所望する枚数だけ購入指定した際に、その購入指定された回数券Ａの種類や発券枚数、投入金額、つり銭等を記憶する他、発券処理に必要なデータを記憶する。
【００２４】
移動装置１７は、装填台１５の中央後端部に該装填台１５の後方に水平配置された進退シリンダ１７ａのロッドを連結している。進退シリンダ１７ａは、後述する制御装置２２から出力される進退動作指令信号によって進退動作され、装填台１５上の各収容箱１４…から回数券Ａを取出す際に、装填台１５を取出しユニット１６ａの下方へ水平移動させ、各収容箱１４…に収容された回数券Ａが取出しユニット１６ａの各吸着子１６ｂ…により吸着保持される前進位置に待機させる（図３参照）。
【００２５】
また、取出しユニット１６ａの各吸着子１６ｂ…で吸着保持した回数券Ａを放出する際に、装填台１５を取出しユニット１６ａの下方から退避させ、該取出しユニット１６ａの下方に配置された後述する券放出箱２３に対して各吸着子１６ｂ…で吸着保持した回数券Ａの放出が許容される後退位置に移動させる（図４参照）。
【００２６】
昇降装置１８は、取出しユニット１６ａの中央後端部に、移動装置１７１７の上方に垂直配置された昇降シリンダ１８ａのロッドを連結している。昇降シリンダ１８ａは、後述する制御装置２２から出力される昇降動作指令信号によって昇降動作され、装填台１５を前後移動する際及び取出しユニット１６ａの各吸着子１６ｂ…１６ｂで吸着保持した回数券Ａを放出する際に、取出しユニット１６ａを装填台１５より上方へ垂直上昇させ、収容箱１４が載置された装填台１５の進退動作が許容され、吸着子１６ｂで吸着保持した回数券Ａと収容箱１４との接触が回避される上昇位置に待機させる（図３参照）。
【００２７】
また、装填台１５上の各収容箱１４…に収容された回数券Ａを吸着保持する際に、取出しユニット１６ａを前進位置に待機する装填台１５上の各収容箱１４…に収容された回数券Ａに対して各吸着子１６ｂ…が押付けられる高さに垂直下降させ、各収容箱１４…の最上面に収容された回数券Ａの中央上面に対して各吸着子１６ｂ…を密着させる。
【００２８】
また、吸着子１６ｂで吸着保持した回数券Ａを放出する際に、取出しユニット１６ａを後退位置に移動された装填台１５上の収容箱１４の開口部１４ａより低い位置に垂直下降させる（図４参照）。
【００２９】
取出し装置１６の取出しユニット１６ａは、前進位置に移動された装填台１５の上方に該装填台１５と平行して水平に配置している。取出しユニット１６ａの下面側には、各収容箱１４…に収容された回数券Ａの中央上面と対向する間隔に隔てて柔軟性を有する合成ゴム製の吸着子１６ｂを１２個垂設している（図２、図３参照）。
【００３０】
各吸着子１６ｂ…の近傍には、該各吸着子１６ｂ…の吸着部分に近い回数券Ａの上面と対向して吸着検出センサＳ１を取り付けている。吸着検出センサＳ１は、投光器と受光器を有する反射型の光電センサで構成され、吸着子１６ｂが押し付けられる回数券Ａの上面側に向けて投光器から投光される検出光を常時照射している。
【００３１】
つまり、収容箱１４に収容された反射率の高い回数券Ａの表面側（印刷表示面）を吸着子１６ｂで吸着保持（図４参照）すると、吸着検出センサＳ１の投光器から投光される検出光が回数券Ａの表面に照射され、その回数券Ａの表面で反射された検出光を受光器が受光する。この結果、吸着検出センサＳ１から制御装置２２へ検出信号が出力される。
【００３２】
反射率の低い回数券Ａの裏面側（磁気記録面）を吸着子１６ｂで吸着保持すると、吸着検出センサＳ１の投光器から投光される検出光が回数券Ａの裏面に照射されるが、回数券Ａの裏面が反射する検出光の光量が受光器で受光可能な光量よりも少ないと、検出光を受光器が受光することはない。この結果、吸着検出センサＳ１から制御装置２２へ検出信号は出力されることはない。また、回数券Ａが吸着子１６ｂで吸着保持されなかった場合、前記と同様に、吸着検出センサＳ１から検出信号は出力されることはない。
【００３３】
回数券Ａを吸着した検出信号が吸着検出センサＳ１から出力された場合、制御装置２２は、昇降装置１８を上昇動作して、取出しユニット１６ａを装填台１５より上方に垂直上昇させ、装填台１５の進退動作が許容される上昇位置に待機させる。この後、移動装置１７を後退動作して、装填台１５を取出しユニット１６ａの下方から退避させ、各吸着子１６ｂ…で吸着保持した回数券Ａの放出が許容される後退位置に移動させる。
【００３４】
装填台１５の後退動作が完了した後、昇降装置１８を下降動作して、取出しユニット１６ａを装填台１５上に装填された収容箱１４の開口部１４ａより低い位置に垂直下降させる。この後、負圧発生手段による負圧を遮断して、取出しユニット１６ａの吸着子１６ｂによる吸着保持を解除し、各吸着子１６ｂ…で吸着保持した回数券Ａを下方へ放出する（図４参照）。
【００３５】
各吸着子１６ｂ…で吸着保持した回数券Ａの放出が完了した後、昇降装置１８を上昇動作して、取出しユニット１６ａを装填台１５の進退動作が許容される上昇位置に復帰させる。この後、移動装置１７を前進動作して、装填台１５を取出しユニット１６ａの下方へ水平移動し、取出しユニット１６ａによる回数券Ａの取出しが許容される前進位置に復帰させる（図３参照）。
【００３６】
吸着子１６ｂの吸着面に裏面側が上向きの回数券Ａが吸着されるか、吸着子１６ｂで回数券Ａが吸着保持されず、吸着検出センサＳ１から検出信号が出力されなかった場合、制御装置２２は、収容箱１４と対応する位置に配置された図示しないランプを点滅するか、点灯する等して、発券ミスが発生したことを表示する。或いは、ブザーや音声等で報知してもよい。
【００３７】
各吸着子１６ｂ…は、吸着子１６ｂの吸着面に負圧が発生される開状態と、負圧が遮断される閉状態とに切換えるための切換え装置１９を介して、真空ポンプ等で構成される負圧発生装置２０に接続している（図２参照）。つまり、収容箱１４に収容された回数券Ａを吸着子１６ｂで吸着保持する場合、吸着子１６ｂを収容箱１４の最上面に重ね合わされた回数券Ａの中央上面に押し付けた後、負圧発生装置２０により発生される負圧で回数券Ａを吸着保持する。吸着子１６ｂで吸着保持した回数券Ａを券放出箱２３に放出する場合、装填台１５を取出しユニット１６ａの下方から退避させた後、負圧発生手段による負圧を遮断して、吸着子１６ｂで吸着保持した回数券Ａを券放出箱２３に向けて落下させて放出する。
【００３８】
前進位置に移動された装填台１５の下方には、取出し装置１６により取出された回数券Ａを放出するための券放出箱２３を配置している。券放出箱２３の上面は、各吸着子１６ｂ…で吸着保持された回数券Ａが受け止められる大きさ及び形状に開口している。また、券放出箱２３の前面は、扉部３の取出口１２と対応する大きさ及び形状に開口している。
【００３９】
装填台１５の上面には、１２個の収容箱１４が個々に装填される箱装填部１５ａを正面から見て並列に設けている。各箱装填部１５ａ…の構造は同一であるので、一つの箱装填部１５ａの構造を図７、図８に基づいて詳述する。箱装填部１５ａは、装填台１５の上面に対して収容箱１４の高さよりも長尺に形成された断面Ｌ字状の支持板１５ｂを正面から見て左右逆向きに固定し、該支持板１５ｂを装填台１５の長さ方向に対して収容箱１４の横幅よりも幅広となる間隔に隔てて１３枚立設して、各収容箱１４…の装填数と対応する１２個の箱収容部を各支持板１５ｂ…の対向面間に形成している。つまり、多数枚の回数券Ａが上下に重ね合せて収容された収容箱１４を、箱装填部１５ａの支持板１５ｂ，１５ｂの間に対して前方から装填すると、該各収容箱１４に収容された回数券Ａの中央上面に対して前記取出し装置１６の各吸着子１６ｂ…が押し付けられる位置に規制される。
【００４０】
箱装填部１５ａの中央底面には、多数枚の回数券Ａが収容された収容箱１４をネジ止めするための溝部１５ｃを前後方向に向けて１条形成している。溝部１５ｃの前端は、後述するネジ軸１４ｂの挿入が許容される間隔に開放している。
【００４１】
各収容箱１４…の構造は同一であるので、一つの収容箱の構造を図５、図６に基づいて説明する。収容箱１４の内部は、多数枚の回数券Ａが上下に積重ねて収容される大きさ及び形状に形成している。該収容箱１４の上面側に開口された開口部１４ａは、上方から見て回数券Ａと略同等となる大きさ及び形状に形成され、積重ね方向（又は上下方向）と平行する方向に向けて回数券Ａの収容及び取出しが許容される大きさ及び形状に開口している。
【００４２】
収容箱１４の底部中央外面には、前記箱装填部１５ａの溝部１５ｃに対して挿入が許容される外径寸法のネジ軸１４ｂを垂直に突設している。ネジ軸１４ｂ上には、収容箱１４を箱装填部１５ａに装填固定するための締付けナット１４ｃを取り付けている。
【００４３】
つまり、多数枚の回数券Ａが収容された箱装填部１５ａを装填台１５の箱装填部１５ａに装填するとともに、収容箱１４のネジ軸１４ｂを箱装填部１５ａの溝部１５ｃに沿って挿入した後、締付けナット１４ｃを締付け方向に回動操作して、収容箱１４に収容された回数券Ａの中央上面に対して前記取出し装置１６の吸着子１６ｂが押し付けられる位置に固定する。なお、ネジ軸１４ｂ及び締付けナット１４ｃに代わる固定手段として、例えば板バネ、クリップ等で固定してもよい。
【００４４】
収容箱１４の内部には、多数枚の回数券Ａを上下に重ね合せて載置するための券受け板１４ｆを上下動自在に収容している。収容箱１４の内側底面と券受け板１４ｆの中央下面との間には、券受け板１４ｆを回数券Ａの積重ね枚数に応じて徐々に上方へ押し上げるためのコイルスプリング１４ｇを装填している。
【００４５】
収容箱１４に収容される回数券Ａは、上方から見て略矩形に形成され、表側の印刷表示面には、例えば発効日、乗車区間、料金等の表示内容が印刷され、裏側の磁気記録面には、表示内容と対応する情報が磁気データとして読み取り可能に記録されている。
【００４６】
つまり、多数枚の回数券Ａを収容箱１４に収容する場合、券受け板１４ｆをコイルスプリング１４ｇの復元力に抗して押し下げながら、多数枚の回数券Ａを反射率の高い表面側が上向きとなるように上下に重ね合せて収容する。
【００４７】
収容箱１４に形成された開口部１４ａの対向する一対の短辺側縁部には、収容箱１４に収容された回数券Ａの対向する一対の短辺側端部に対して係止される一対の分離板１４ｄ，１４ｄを取り付けている（図９参照）。
【００４８】
一対の分離板１４ｄ，１４ｄは、取出しユニット１６ａの吸着子１６ｂで吸着保持された回数券Ａによって、該回数券Ａの短辺側端部に対する係止が解除される方向に可撓変形可能な金属製の薄板で形成されている。分離板１４ｄは、収容箱１４に収容された回数券Ａの短辺側端部に対して係止される係止姿勢（図６に示す実線参照）と、該回数券Ａの短辺側端部に対する係止が解除される解除姿勢（図６に示す仮想線参照）とに可撓変形自在に設けている。
【００４９】
分離板１４ｄ，１４ｄの上端部には、収容箱１４に収容された回数券Ａの対向する一対の短辺側端部に対して係止される係止片１４ｅ，１４ｅを形成している。係止片１４ｅ，１４ｅは、分離板１４ｄ，１４ｄの上端部を相対向する方向（内側）へ折り曲げるとともに、収容箱１４に収容された回数券Ａの対向する一対の短辺側上面に対して係止される下向き角度に折り曲げ形成している。
【００５０】
分離板１４ｄ，１４ｄの係止片１４ｅ，１４ｅには、コイルスプリング１４ｇに蓄積された復元力により、券受け板１４ｆに積み重ねられた最上面の回数券Ａの対向する短辺側端部が押し付けられる。これにより、多数枚の回数券Ａ…を収容箱１４に対して収容された状態に保持している。
【００５１】
実施例では、分離板１４ｄの係止片１４ｅを、側面から見て５ｍｍ幅に折り曲げ形成しているが、５ｍｍ以下又は５ｍｍ以上の幅に変更してもよい。また、回数券Ａの厚み、材質、硬さ等に応じて所望する厚みに形成された幅に折曲げ形成してもよい。また、分離板１４ｄは、分離板１４ｄ自体の弾性により回数券Ａの短辺側端部に対して係止される状態に復帰するが、例えばスプリング、板バネ等により回数券Ａの短辺側端部に対して係止される方向に付勢してもよい。
【００５２】
収容箱１４の一側壁部の上端側には、該収容箱１４に収容された回数券Ａの残り枚数が少なくなった際に、券受け板１４ｆの一側端部に垂設された検出板１４ｆａが露出される切欠き部１４ｈを形成している。
【００５３】
正面から見て箱装填部１５ａの一側部に立設された支持板１５ｂの上端側には、収容箱１４の切欠き部１４ｈと対向して、切欠き部１４ｈに露出された券受け板１４ｆの検出板１４ｆａを検出するための残量検出センサＳ２を配置している。
【００５４】
残量検出センサＳ２は、投光器と受光器を有する反射型の光電センサで構成され、収容箱１４の切欠き部１４ｈを介して、券受け板１４ｆに載置された回数券Ａの一側端部に向けて投光器から投光される検出光を常時照射している。つまり、収容箱１４の券受け板１４ｆが、コイルスプリング１４ｇの復元力により、回数券Ａの枚数が少なくなるに従って徐々に上方へ押し上げられ、券受け板１４ｆの検出板１４ｆａが収容箱１４の切欠き部１４ｈに露出された際に、残量検出センサＳ２の投光器から投光される検出光が券受け板１４ｆの検出板１４ｆａで反射され、その反射された検出光を受光器が受光する。この結果、残量検出センサＳ２から制御装置２２へ検出信号が出力される。
【００５５】
制御装置２２は、残量検出センサＳ２から出力される検出信号を受信した際に、その回数券Ａが収容された収容箱１４と対応する単一券選択スイッチ４の選択スイッチ４ａ〜４ｌと、複数券選択スイッチ５の選択スイッチ５ａ〜５ｄを消灯するか、点滅する等して、「売切れ」又は「購入不可」であることを表示する。
【００５６】
また、券受け板１４ｆの検出板１４ｆａが収容箱１４の切欠き部１４ｈに露出されるまでの間は、残量検出センサＳ２の投光器から投光される検出光が券受け板１４ｆに載置された回数券Ａの一側端部に照射されている。しかし、回数券Ａの一側端部が反射する検出光の光量が受光器で受光可能な光量よりも少ないと、検出光を受光器が受光することはない。この結果、残量検出センサＳ２から制御装置２２へ検出信号は出力されることがなく、検出光を受光器が受光されるまで、単一券選択スイッチ４及び複数券選択スイッチ５を点灯して「販売可」を表示する。或いは、所望する色に発光するか、文字、図柄を点灯又は発光する等して「販売可」を表示してもよい。
【００５７】
券受け板１４ｆに形成された検出板１４ｆａの検出面には、残量検出センサＳ２の投光器から投光される検出光を反射するための図示しない反射テープを貼付しており、検出板１４ｆａの検出面で反射された検出光を受光器で受光する際の検出精度を高めている。また、反射テープの代わりに、例えばアルミ箔を貼着するか、塗料を塗布する等してもよい。
【００５８】
なお、制御装置２２は、売切れ時、停電時、つり銭等が無い場合、投入口に投入される金銭は返却口に返却されるか、投入を拒否する。また、単一券選択スイッチ４及び複数券選択スイッチ５を押圧操作するまえに、返却レバー９及び返却ボタン１０を操作すれば、紙幣投入口７に投入された紙幣及び硬貨投入口８に投入された硬貨と同額の金銭を返却口１３に放出する。
【００５９】
正面から見て箱装填部１５ａの右側部に立設された支持板１５ｂの上端部には、取出しユニット１６ａの吸着子１６ｂによって収容箱１４から取り出される回数券Ａの一側端部と対向して、吸着子１６ｂで吸着保持された上側の回数券Ａから、該回数券Ａに重ね合わされた下側の回数券Ａを分離するための分離ブラシ２１を設けている（図２、図７参照）。
【００６０】
分離ブラシ２１は、支持板１５ｂの上端側垂直面に固定される本体部２１ａと、本体部に植え付けられた柔軟性を有する複数本の毛２１ｂ…とで構成され、毛２１ｂ…は、取出しユニット１６ａの吸着子１６ｂで吸着保持された回数券Ａの一側端部に対して接触又は押付けられる長さに形成している。
【００６１】
つまり、取出しユニット１６ａの吸着子１６ｂで吸着保持した回数券Ａを収容箱１４の開口部１４ａより上方へ移動した際に、吸着子１６ｂで吸着保持された回数券Ａの一側端部に対して分離ブラシ２１の毛２１ｂ…が接触又は押付けられる。分離ブラシ２１の毛２１ｂ…が付与する接触抵抗により、吸着子１６ｂで吸着保持された回数券Ａから、該回数券Ａに重ね合わされた下側の回数券Ａが分離される。
【００６２】
図示実施例は前記の如く構成するものにして、以下、紙片販売装置１による回数券Ａの販売動作を説明する。
【００６３】
先ず、単一乗車区間の回数券Ａを購入する場合、図１に示す装置本体２の扉部３に設けられた紙幣投入口７と硬貨投入口８に、所望する乗車区間の回数券Ａを購入するのに必要な金額の紙幣や硬貨を投入する。扉部３前面に配列された単一券選択スイッチ４の選択スイッチ４ａ〜４ｌを操作して、所望する乗車区間の回数券Ａを購入指定する。また、枚数選択スイッチ６の選択スイッチ６ａ〜６ｃを操作して、回数券Ａの購入枚数を指定する。
【００６４】
制御装置２２は、単一券選択スイッチ４と、枚数選択スイッチ６とから出力される購入指定信号に基づいて、昇降装置１８を下降動作させ、取出しユニット１６ａの各吸着子１６ｂ…を前進位置に待機する装填台１５上の各収容箱１４…に収容された各回数券Ａ…に密着させる。購入指定の回数券Ａが収容された収容箱１４と対応する位置に垂設された吸着子１６ｂの吸着面のみに負圧を発生させ、該吸着子１６ｂで回数券Ａを吸着保持する（図８参照）。
【００６５】
吸着子１６ｂの吸着面に回数券Ａの表面が吸着保持され、吸着検出センサＳ１から検出信号が出力された場合、制御装置２２は、昇降装置１８を上昇動作させ、取出しユニット１６ａの吸着子１６ｂで吸着保持した回数券Ａを装填台１５より上方に垂直上昇させる（図２、図３参照）。
【００６６】
吸着子１６ｂで吸着保持した回数券Ａを垂直上昇させる際に、吸着子１６ｂで吸着保持した回数券Ａによって収容箱１４の開口部１４ａに取り付けられた一対の分離板１４ｄ，１４ｄが外側へ押し広げられ、回数券Ａの対向する短辺側端部に対する係止が解除される解除姿勢に変形する（図６に示す仮想線参照）。分離板１４ｄ，１４ｄの係止片１４ｅ，１４ｅが吸着子１６ｂで吸着保持された回数券Ａの対向する短辺側端部から脱落し、吸着子１６ｂで吸着保持された回数券Ａの取出しが許容される（図９参照）。
【００６７】
吸着子１６ｂで吸着保持された回数券Ａの対向する短辺側端部から脱落した分離板１４ｄ，１４ｄの係止片１４ｅ，１４ｅは、分離板１４ｄ，１４ｄ自体の復元力により収容箱１４に収容された回数券Ａの対向する短辺側端部に対して係止される係止姿勢（図６に示す実線参照）に復帰し、収容箱１４に収容された２枚目の回数券Ａの取り出しを阻止するので、収容箱１４に収容された最上面の回数券Ａのみを１枚だけ取出すことができる（図１０参照）。
【００６８】
また、吸着子１６ｂで吸着保持された回数券Ａの一側端部に対して分離ブラシ２１が接触又は押付けられるので、吸着子１６ｂで吸着保持された回数券Ａの下面側に２枚目の回数券Ａが静電気により吸い付いていても、分離ブラシ２１の毛２１ｂ…が付与する接触抵抗により、吸着子１６ｂで吸着保持された回数券Ａから２枚目の回数券Ａが確実に分離される。
【００６９】
所望する乗車区間の回数券Ａを収容箱１４から取出した後、取出しユニット１６ａを装填台１５の進退動作が許容される上昇位置に待機させる。この後、移動装置１７を後退動作させ、装填台１５を取出しユニット１６ａの下方から退避させた後退位置に移動させる（図４参照）。
【００７０】
昇降装置１８を下降動作させ、取出しユニット１６ａを、装填台１５上に装填された収容箱１４の開口部１４ａより低い位置に垂直下降させた後、負圧発生手段による負圧を遮断して、取出しユニット１６ａの吸着子１６ｂによる吸着保持を解除し、吸着子１６ｂで吸着保持した回数券Ａを券放出箱２３に放出する。この後、扉部３の取出口１２から手を差し入れて、券放出箱２３に放出された回数券Ａを取出せば、購入指定された回数券Ａを入手することができる。
【００７１】
購入指定された回数券Ａの放出が完了した後、取出しユニット１６ａを上昇位置に移動し、装填台１５を前進位置に移動して、装置全体の動作を一旦停止して次の販売動作まで待機状態を維持する。
【００７２】
単一乗車区間の回数券Ａを２枚組み合わせて購入する場合、紙幣投入口７と硬貨投入口８に、所望する乗車区間の回数券Ａ，Ａを購入するのに必要な金額の紙幣や硬貨を投入した後、複数券選択スイッチ５の選択スイッチ５ａを操作して、単一乗車区間の回数券Ａを２枚組み合わせて購入指定する。また、枚数選択スイッチ６を操作して回数券Ａの購入枚数を指定する。
【００７３】
前記と同様に、制御装置２２は、複数券選択スイッチ５と、枚数選択スイッチ６とから出力される購入指定信号に基づいて、昇降装置１８を下降動作させ、取出しユニット１６ａの各吸着子１６ｂ…を装填台１５上の各収容箱１４…に収容された各回数券Ａ…に密着させる。購入指定された２種類の回数券Ａが収容された収容箱１４，１４と対応する位置に垂設された吸着子１６ｂ，１６ｂの吸着面のみに負圧を発生させ、該吸着子１６ｂ，１６ｂで２種類の回数券Ａ，Ａを吸着保持する（図２参照）。
【００７４】
昇降装置１８を上昇動作させ、取出しユニット１６ａを上昇位置に移動して、吸着子１６ｂ，１６ｂで吸着保持した２種類の回数券Ａ，Ａを収容箱１４，１４から取出した後、移動装置１７を後退動作させ、装填台１５を後退位置に移動させる。
【００７５】
昇降装置１８を下降動作させ、取出しユニット１６ａを収容箱１４の開口部１４ａより低い位置に垂直下降させた後、吸着子１６ｂ，１６ｂによる吸着保持を解除して、吸着子１６ｂ，１６ｂで吸着保持した回数券Ａ，Ａを券放出箱２３に放出する。
【００７６】
購入指定された回数券Ａの放出が完了した後、取出しユニット１６ａを上昇位置に復帰させ、装填台１５を前進位置に復帰させて、装置全体の動作を一旦停止して次の販売動作まで待機状態を維持する。
【００７７】
また、複数券選択スイッチ５の選択スイッチ５ｂ，５ｃ，５ｄを操作すれば、所望する単一乗車区間の回数券Ａを２枚組み合わせて販売するか、３枚組み合わせて販売することができる。
【００７８】
以上のように、複数の収容箱１４…から所望する単一乗車区間の回数券Ａを単一枚取出す際或いは単一乗車区間の回数券Ａを複数組み合わせて取出す際に、取出し装置１６によって収容箱１４から取出される回数券Ａから、収容箱１４に収容された下側の回数券Ａを分離して、購入指定された枚数の回数券Ａを確実に販売することができる。
【００７９】
この発明の構成と、前記実施例との対応において、  
この発明の紙片は、実施例の回数券Ａに対応し、  
以下同様に、  
取出し手段は、取出し装置１６に対応し、
接触抵抗付与部材は、分離ブラシ２１に対応するも、  
この発明は、前記実施例の構成のみに限定されるものではなく、請求項に示される技術思想に基づいて応用することができ、多くの実施の形態を得ることができる。
【図面の簡単な説明】
【００８０】
【図１】回数券を販売する紙片販売装置の外観を示す正面図。
【図２】装填台及び取出し装置の配置を示す正面図。
【図３】取出し装置による回数券の取出し動作を示す側面図。
【図４】取出し装置による回数券の放出動作を示す側面図。
【図５】回数券が収容された収容箱を示す斜視図。
【図６】図５の収容箱を左側から見た内部構造を示す縦断側面図。
【図７】収容箱及び箱装填部の内部構造を示す縦断正面図。
【図８】収容箱の回数券に吸着子を密着した状態を示す縦断側面図。
【図９】吸着子で吸着保持した回数券の取出し動作を示す縦断側面図。
【図１０】収容箱から回数券を取出した状態を示す縦断側面図。
【符号の説明】
【００８１】
Ａ…回数券
Ｓ１…吸着検出センサ
Ｓ２…残量検出センサ
１…紙片販売装置
２…装置本体
３…扉部
４…単一券選択スイッチ
５…複数券選択スイッチ
６…枚数選択スイッチ
７…紙幣投入口
８…硬貨投入口
９…返却レバー
１０…返却ボタン
１１…投入金額表示部
１２…取出口
１３…返却口
１４…収容箱
１４ｄ…分離板
１４ｆ…券受け板
１５…装填台
１５ａ…箱装填部
１６…取出し装置
１６ａ…取出しユニット
１６ｂ…吸着子
１７…移動装置
１８…昇降装置
２１…分離ブラシ
【図１】
2009205574.tif 000003
【図２】
2009205574.tif 000004
【図３】
2009205574.tif 000005
【図４】
2009205574.tif 000006
【図５】
2009205574.tif 000007
【図６】
2009205574.tif 000008
【図７】
2009205574.tif 000009
【図８】
2009205574.tif 000010
【図９】
2009205574.tif 000011
【図１０】
2009205574.tif 000012